(57)【要約】【課題】  角度情報を含むウォブルトラックを有する光ディスクを提供する。【解決手段】  角度情報を含む光ディスクはウォブルトラックを有する。該ウォブルトラックによって生成されるウォブル信号は位相を有し、該位相は光ディスクの角度に対応する。【選択図】      図３
2008146802.tif 000002
【特許請求の範囲】
【請求項１】
ウォブルトラックを有し、角度情報を含む光ディスクにおいて、該ウォブルトラックによって生成されるウォブル信号は位相を有し、該位相は光ディスクの角度に対応することを特徴とする光ディスク。
【請求項２】
前記ウォブル信号の開始点は前記位相に対応することを特徴とする請求項１記載の光ディスク。
【請求項３】
前記光ディスクは角度情報が含まれる金型で製作されることを特徴とする請求項１記載の光ディスク。
【請求項４】
前記金型は、ステップモーターを用いてフォトレジストの塗布された基板をある角度に回し、それにフォトリソグラフィー・エッチング工程を加えて製作されたものであることを特徴とする請求項３記載の光ディスク。
【請求項５】
光ディスクの角度情報を検出する検知システムであって、
光ディスクのウォブルトラックを検出してウォブル信号を生成するウォブル信号検知装置と、
ウォブル信号検知装置に結合され、ウォブル信号に基づいて基準クロック信号を生成する基準クロック信号発生装置と、
ウォブル信号検知装置と基準クロック信号発生装置に結合され、ウォブル信号と基準クロック信号を比較して、光ディスクの角度情報を取得する位相コンパレーターとを含むことを特徴とする検知システム。
【請求項６】
前記ウォブル信号は位相を有し、該位相は光ディスクの角度に対応することを特徴とする請求項５記載の検知システム。
【請求項７】
前記ウォブル信号の開始点は前記位相に対応することを特徴とする請求項６記載の検知システム。
【請求項８】
前記光ディスクは角度情報が含まれる金型で製作されることを特徴とする請求項６記載の検知システム。
【請求項９】
前記金型は、ステップモーターを用いてフォトレジストの塗布された基板をある角度に回し、それにフォトリソグラフィー・エッチング工程を加えて製作されたものであることを特徴とする請求項８記載の検知システム。
【請求項１０】
光ディスクの角度情報を検出する検知システムであって、
光ディスクのウォブル信号を検出するウォブル信号検知装置と、
ウォブル信号検知装置に結合され、ウォブル信号に基づいて基準クロック信号を生成する基準クロック信号発生装置と、
ウォブル信号検知装置と基準クロック信号発生装置に結合され、ウォブル信号と基準クロック信号を比較して、光ディスクの角度情報を取得する位相コンパレーターとを含むことを特徴とする検知システム。
【請求項１１】
前記ウォブル信号検知装置はピックアップヘッドであることを特徴とする請求項１０記載の検知システム。
【請求項１２】
前記ウォブル信号は位相を有し、該位相は光ディスクの角度に対応することを特徴とする請求項１２記載の検知システム。
【請求項１３】
前記ウォブル信号の開始点は前記位相に対応することを特徴とする請求項１２記載の検知システム。
【請求項１４】
前記光ディスクは角度情報が含まれる金型で製作されることを特徴とする請求項１２記載の検知システム。
【請求項１５】
前記金型は、ステップモーターを用いてフォトレジストの塗布された基板をある角度に回し、それにフォトリソグラフィー・エッチング工程を加えて製作されたものであることを特徴とする請求項１４記載の検知システム。
【請求項１６】
光ディスクの角度情報を検出する方法であって、
光ディスクのウォブルトラックを検出してウォブル信号を生成し、
ウォブル信号に基づいて基準クロック信号を生成し、
ウォブル信号と基準クロック信号を比較して、光ディスクの角度情報を取得するステップからなることを特徴とする検出方法。
【請求項１７】
前記ウォブル信号は位相を有し、該位相は光ディスクの角度に対応することを特徴とする請求項１６記載の検出方法。
【請求項１８】
前記ウォブル信号の開始点は前記位相に対応することを特徴とする請求項１７記載の検出方法。
【請求項１９】
前記光ディスクは角度情報が含まれる金型で製作されることを特徴とする請求項１７記載の検出方法。
【請求項２０】
前記金型は、ステップモーターを用いてフォトレジストの塗布された基板をある角度に回し、それにフォトリソグラフィー・エッチング工程を加えて製作されたものであることを特徴とする請求項１９記載の検出方法。
【請求項２１】
光ディスクの角度情報を検出する方法であって、
光ディスクのウォブル信号を検出し、
ウォブル信号に基づいて基準クロック信号を生成し、
ウォブル信号と基準クロック信号を比較して、光ディスクの角度情報を取得するステップからなることを特徴とする検出方法。
【請求項２２】
前記ウォブル信号は位相を有し、該位相は光ディスクの角度に対応することを特徴とする請求項２１記載の検出方法。
【請求項２３】
前記ウォブル信号の開始点は前記位相に対応することを特徴とする請求項２２記載の検出方法。
【請求項２４】
前記光ディスクは角度情報が含まれる金型で製作されることを特徴とする請求項２２記載の検出方法。
【請求項２５】
前記金型は、ステップモーターを用いてフォトレジストの塗布された基板をある角度に回し、それにフォトリソグラフィー・エッチング工程を加えて製作されたものであることを特徴とする請求項２４記載の検出方法。
【発明の詳細な説明】
【技術分野】
【０００１】
この発明は光ディスク、関連の検知システム及び方法に関し、特に角度情報を含む光ディスク、角度情報を検知する検知システム及び関連方法に関する。
【背景技術】
【０００２】
情報化社会では、大量の情報の保存は重要な課題である。多種多様な記録媒体のうち、コンパクトで大容量の光ディスクは最も普及している記録媒体となっている。その種類はＣＤ−Ｒ、ＣＤ−ＲＷ、ＤＶＤ−Ｒ、ＤＶＤ−ＲＷなどがある。
【０００３】
データ管理を容易にするため、ＣＤのデータ保存領域は複数の小さなフレーム（セクター）に分割され、データは一定の規則に基づいて各フレームに保存される。書き込み可能の光ディスクにデータを書き込むとき、データの正確書き込みを確保するため、ディスクドライブは書き込み前にディスクの各フレームを確認する。そのほか、書き込み可能の光ディスクには、各フレームに関する情報を保存するための特殊な構造が含まれている。保存領域は分／秒／フレーム制（１分＝６０秒、１秒＝７５フレーム）を採用し、フレームに関する情報はＡＴＩＰと称する。
【０００４】
図１を参照する。図１は従来の光ディスク１００のトラック構造を表す説明図である。当業者に周知されているとおり、光ディスク１００は、図１に示すようなレーザーを反射するための反射面１０３を有する。光ディスク１００をドライブ（非表示）に入れると、ドライブのピックアップヘッドはレーザーを発する。このレーザーは反射面１０３の各部分により異なる反射モードで変調されてからピックアップヘッドに反射され、ピックアップヘッドは反射モードごとに対応する情報を読み取る。なお、光ディスク１００には、ディスクと同心で、ディスクの円周に沿って回る細長いトラック１０１が設けられている。トラックの一部を拡大すると図１の付図１Ａに示すようになる。書き込み可能の光ディスクのトラック１０１は、データを記録するデータトラック１０２と、フレームの関連情報を記録するウォブルトラック１０４の２種類に分けられる。データトラック１０２はトラック１０１と同じように、ディスクと同心で、ディスクの円周に沿って回るものである。もっとも、付図１Ａに示すトラックの極小さな部分では、データトラック１０２は直線状を呈する。一方、図１に示す光ディスク１００の裏面図のような巨視的な角度から見れば、ウォブルトラック１０４もディスクと同心で、ディスクの円周に沿って回るものである。しかし、付図１Ａのように拡大すると、ウォブルトラック１０４は実際、円周（付図１Ａに示す拡大図ではデータトラック１０２のように直線となる）に沿って蛇行することがわかる。ウォブルトラックの蛇行曲線は、周期の異なる（付図１Ａに示す周期Ｄ１、Ｄ２）２本の蛇行曲線からなる。
【０００５】
データトラック１０２とウォブルトラック１０４のより詳しい拡大図として、図１の付図１Ｂを参照する。データトラック１０２には不連続のピット１０６が設けられ、ピット１０６は反射面１０３と異なる反射特性を有し、その長さにより個別のデータ信号を表すことができる。したがって、光ディスク１００のデータ記録は、ピット長さの制御に基づいて行われる。一方、フレームに関するデータを記録するためのウォブルトラック１０４は、反射面１０３から突き出ている連続した軌跡である。
【０００６】
一般的には、ウォブルトラック１０４は反射面１０３から突き出ているように設けられ、データトラック１０２は突出したウォブルトラック１０４間に形成されるグルーブの中に設けられる。
【０００７】
ディスクの読み出し／書き込み時にアドレスを正確かつ迅速に探し出すため、書き込み可能光ディスク１００を製作するとき、トラック情報に関連するＡＴＩＰを記録するウォブルトラック１０４をディスクに設けることが一般である。ＡＴＩＰはＦＭ（周波数変調）方式でウォブルトラック１０４に記録され、アドレスデータはウォブルトラック１０４のウォブル信号を復調して得られる。
【０００８】
図２を参照する。図２は従来のピックアップヘッドシステム２００を表す説明図である。図２に示すように、システム２００は検知器２０１、２０３、２０５、２０７と、増幅器２０９、２１１と、コンパレーター２１３と、等化高域フィルター２１５と、レベルコンパレーター２１９と、位相コンパレーター２１７と、周波数発生器２２１を含む。検知器２０１、２０３、２０５、２０７は光ディスク２２３のウォブル信号を検出し、その結果を増幅器２０９、２１１に送信して増幅する。その後、コンパレーター２１３は増幅後の検出結果を比較し、等化高域フィルター２１５とレベルコンパレーター２１９は比較結果を処理し、それに加えて位相コンパレーター２１７の比較結果と周波数発生器２２１の基準周波数信号ＲＣＬＫを利用すれば、光ディスクの信号誤差を検出できる。システム２００の各素子の動作は当業者に周知されているため、ここでその説明を省略とする。
【０００９】
一方、ＨＰ社はライトスクライブ技術を開発した。これは、データ書き込み用のレーザーを用いて、ＣＤやＤＶＤの印刷面に図形を印刷することを内容とする技術である。しかし、ライトスクライブ技術は合焦・トラッキングに開ループを利用するのみならず、角度情報を取得するためには光ディスクにバーコードを、ディスクドライブに信号検知用の素子を増設しなければならない。
【００１０】
したがって、上記問題は解決を待つ。
【発明の開示】
【発明が解決しようとする課題】
【００１１】
この発明は前記従来の問題を解決するため、角度情報を含むウォブルトラックを有する光ディスクを提供することを課題とする。
【課題を解決するための手段】
【００１２】
この発明による角度情報を含む光ディスクはウォブルトラックを有する。そのうち該ウォブルトラックによって生成されるウォブル信号は位相を有し、該位相は光ディスクの角度に対応する。
【００１３】
この発明は更に光ディスクの角度情報を検出する検知システムを提供する。該検知システムは、光ディスクのウォブルトラックを検出してウォブル信号を生成するウォブル信号検知装置と、ウォブル信号検知装置に結合され、ウォブル信号に基づいて基準クロック信号を生成する基準クロック信号発生装置と、ウォブル信号検知装置と基準クロック信号発生装置に結合され、ウォブル信号と基準クロック信号を比較して、光ディスクの角度情報を取得する位相コンパレーターとを含む。
【００１４】
この発明は更に下記のような光ディスクの角度情報を検出する検知システムを提供する。該検知システムは、光ディスクのウォブル信号を検出するウォブル信号検知装置と、ウォブル信号検知装置に結合され、ウォブル信号に基づいて基準クロック信号を生成する基準クロック信号発生装置と、ウォブル信号検知装置と基準クロック信号発生装置に結合され、ウォブル信号と基準クロック信号を比較して、光ディスクの角度情報を取得する位相コンパレーターとを含む。
【００１５】
この発明は更に光ディスクの角度情報を検出する方法を提供する。該方法は、光ディスクのウォブルトラックを検出してウォブル信号を生成し、ウォブル信号に基づいて基準クロック信号を生成し、ウォブル信号と基準クロック信号を比較して、光ディスクの角度情報を取得するステップからなる。
【００１６】
この発明は更に下記のような光ディスクの角度情報を検出する方法を提供する。該方法は、光ディスクのウォブル信号を検出し、ウォブル信号に基づいて基準クロック信号を生成し、ウォブル信号と基準クロック信号を比較して、光ディスクの角度情報を取得するステップからなる。
【発明の効果】
【００１７】
本発明は光ディスクの印刷面に角度情報を含むウォブルトラックを設ける。このウォブルトラックはディスクの記録面に設けられ、ＡＴＩＰを含む従来のものとは目的が異なる。角度情報が既にウォブルトラックに含まれているため、ライトスクライブ技術に必要なディスク上のバーコードとドライブ内の検知素子は不要とされる。
【発明を実施するための最良の形態】
【００１８】
かかる装置の特徴を詳述するために、具体的な実施例を挙げ、図を参照にして以下に説明する。
【００１９】
この発明は光ディスクの印刷面にウォブルトラックを設けることを内容とする。該ウォブルトラックによるウォブル信号は位相を有し、該位相は角度に対応する。ウォブル信号の開始点は一定の角度に対応する。このような光ディスクは角度情報を含む金型で製作される。角度情報を含む金型は、フォトレジストの塗布された基板をステップモーターを用いてある角度に回し、それにフォトリソグラフィー・エッチング工程を加えて製作されたものである。
【００２０】
図３を参照する。図３はこの発明による光ディスクの角度情報を検出する検知システム３００を表す説明図である。図３によれば、検知システム３００はウォブル信号検知装置３０１と、基準クロック信号発生装置３０３と、位相コンパレーター３０５を含む。ウォブル信号検知装置３０１は光ディスク３０７上のウォブルトラックを検知してウォブル信号ＷＳを生成し、これを基準クロック信号発生装置３０３と位相コンパレーター３０５に送信する。ウォブル信号検知装置３０１に結合される基準クロック信号発生装置３０３は、ウォブル信号ＷＳに基づいて基準クロック信号ＲＣＬＫを生成する。ウォブル信号検知装置３０１と基準クロック信号発生装置３０３に結合される位相コンパレーター３０５は、ウォブル信号ＷＳと基準クロック信号ＲＣＬＫを比較して比較結果ＣＳ生成する。光ディスクの角度情報は、この比較結果ＣＳによって提供される。もっとも注意すべきは、前記ウォブル信号検知装置３０１を光ディスクのウォブル信号の検出装置としてのみ利用し、ウォブル信号の生成をピックアップヘッドなどその他の装置に任せることも可能である。ウォブル信号ＷＳの生成と検出、基準クロック信号ＲＣＬＫの生成、及び基準クロック信号ＲＣＬＫとウォブル信号ＷＳの比較は、いずれも当業者に周知されているので、ここでその説明を省略とする。
【００２１】
図４を参照する。図４は図３に示す検知システム３００の動作を表す説明図であり、前記比較結果ＣＳから光ディスクの角度情報を取得する方法を説明する。図４に示す方法はウォブル信号ＷＳをウォブルクロックＷＣＬＫに変換してから比較するが、この発明はそれに限らない。
【００２２】
図４に示すように、領域４０１の基準クロック信号ＲＣＬＫとウォブルクロックＷＣＬＫは同じ位相を有するため、比較結果ＣＳによると位相差が０となり、これは光ディスクの回転角が０度であることを意味する。また、領域４０３の基準クロック信号ＲＣＬＫとウォブルクロックＷＣＬＫの位相差はπであるため、比較結果ＣＳによると位相差がπとなり、これは光ディスクの回転角がπ度であることを意味する。したがって、光ディスクの角度情報は、基準クロック信号ＲＣＬＫとウォブルクロックＷＣＬＫの位相を比較して得られる。
【００２３】
図５を参照する。図５は角度情報を含む光ディスクのウォブル信号を表す説明図である。図５によれば、ウォブル信号wobbleの位相は各周期の開始点５０１ごとに異なり、ウォブルクロックＷＣＬＫはウォブル信号wobbleの周期に基づいて生成される。ウォブル信号wobbleの開始点と終了点の判断については、いずれも当業者に周知されているので、ここでその説明を省略とする。
【００２４】
図６を参照する。図６は図３に示す検知システム３００の検知方法を表すフローチャートである。
ステップ６０１：光ディスクのウォブルトラックを検知してウォブル信号ＷＳを生成する。
【００２５】
ステップ６０３：ウォブル信号ＷＳに基づいて基準クロック信号ＲＣＬＫを生成する。
【００２６】
ステップ６０５：ウォブル信号ＷＳと基準クロック信号ＲＣＬＫを比較して、光ディスクの角度情報を取得する。
上記ステップ６０１の内容を、「その他の装置によって生成された光ディスクのウォブル信号ＷＳを検知する」と変更しても、本発明の範囲に含まれる。
【００２７】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００２８】
本発明は光ディスクの角度情報を従来のウォブルトラックに入れ、このウォブルトラックを新たにディスク印刷面に設けることを内容とする。かかる技術は実行可能である。
【図面の簡単な説明】
【００２９】
【図１】従来の光ディスクのトラック構造を表す説明図である。
【図２】従来のピックアップヘッドシステムを表す説明図である。
【図３】この発明による光ディスクの角度情報を検出する検知システムを表す説明図である。
【図４】図３に示す検知システムの動作を表す説明図である。
【図５】角度情報を含む光ディスクのウォブル信号を表す説明図である。
【図６】図３に示す検知システムの検知方法を表すフローチャートである。
【符号の説明】
【００３０】
１００        光ディスク
１０１        トラック
１０２        データトラック
１０３        反射面
１０４        ウォブルトラック
１０６        ピット
２００        ピックアップヘッドシステム
２０１、２０３、２０５、２０７  検知器
２０９、２１１      増幅器
２１３        コンパレーター
２１５        等化高域フィルター
２１７、３０５      位相コンパレーター
２１９        レベルコンパレーター
２２１        周波数発生器
３００        検知システム
３０１        ウォブル信号検知装置
３０３        基準クロック信号発生装置
４０１、４０３      領域
５０１        周期開始点
【図１】
2008146802.tif 000003
【図２】
2008146802.tif 000004
【図３】
2008146802.tif 000005
【図４】
2008146802.tif 000006
【図５】
2008146802.tif 000007
【図６】
2008146802.tif 000008